(57)【特許請求の範囲】
【請求項１】
複数の部材からなる胴体がラッチ部（１５０、１５０ａ、１５０ｅ）によってロック設定されて第１の形状を維持し、外部から移動してきた発射体（２００、２００ａ、２００ｂ、２００ｃ）が前記胴体に挿入されて前記胴体の発射部（１３０、１３０ｅ）に位置したとき、前記発射体（２００、２００ａ、２００ｂ、２００ｃ）が前記ラッチ部（１５０、１５０ａ、１５０ｅ）のロックを解除させて前記胴体が第２の形状になるように展開し、
前記発射体（２００、２００ａ、２００ｂ、２００ｃ）は、前記発射部（１３０、１３０ｅ）に位置して固定されれば、加圧部（１４０、１４０ｂ）が前記発射部（１３０、１３０ｅ）に作用する弾性力を用いて前記発射体（２００、２００ａ、２００ｂ、２００ｃ）が第２の形状に変身した前記胴体から発射されるようにすることを特徴とする、発射型玩具。
【請求項２】
前記発射型玩具は、前記胴体に回動可能に配設され、前記ラッチ部（１５０、１５０ａ、１５０ｅ）のロックが解除されると展開するポップアップ部（１６０、１７０）をさらに備えることを特徴とする、請求項１に記載の発射型玩具。
【請求項３】
前記発射型玩具は、前記胴体に配設され、前記ラッチ部（１５０、１５０ａ、１５０ｅ）のロックが解除されると、前記胴体が回転するように支持するか、前記胴体が前方、後方、上方または側方に向かってポップアップされるように支持する支持部（１２０、１２０ｄ）をさらに備えることを特徴とする、請求項２に記載の発射型玩具。
【請求項４】
前記支持部（１２０）は、前記発射型玩具が任意の方向に向かって走行できるように複数の車輪を備えることを特徴とする、請求項３に記載の発射型玩具。
【請求項５】
前記胴体は、
内部に収納空間を形成した胴体部（１１０、１１０ａ、１１０ｂ、１１０ｃ、１１０ｄ、１１０ｅ）と；
前記胴体部（１１０、１１０ａ、１１０ｂ、１１０ｃ、１１０ｄ、１１０ｅ）に配設され、挿入された前記発射体（２００、２００ａ、２００ｂ、２００ｃ）を定着させて拘束する発射部（１３０、１３０ｅ）と；
前記発射体（２００、２００ａ、２００ｂ、２００ｃ）を前記発射部（１３０、１３０ｅ）の先端に移動させ、前記発射部（１３０、１３０ｅ）の弾性力を用いて発射されるように加圧する加圧部（１４０、１４０ｂ）と；
前記胴体部（１１０、１１０ａ、１１０ｂ、１１０ｃ、１１０ｄ、１１０ｅ）に配設され、前記発射体（２００、２００ａ、２００ｂ、２００ｃ）によってロック位置またはロック解除位置に変位するラッチ部（１５０、１５０ａ、１５０ｅ）と；
を備えることを特徴とする、請求項３に記載の発射型玩具。
【請求項６】
前記胴体部（１１０）は、
少なくとも一つ以上の部材からなり、前記発射体（２００、２００ａ、２００ｃ）が挿入されると前記発射体（２００、２００ａ、２００ｃ）の移動経路を案内するガイド部（１１１ａ）が形成された胴体部ハウジング（１１１）と;
前記胴体部ハウジング（１１１）に穿設したレバー貫通孔（１１２）と；
ポップアップ胴体と支持部（１２０）と加圧部（１４０）とが前記胴体部ハウジング（１１１）に回動可能に結合するように支持する複数のヒンジ部（１１３、１１４、１１６）と；
を備えることを特徴とする、請求項５に記載の発射型玩具。
【請求項７】
前記胴体部（１１０）は、第１の形状が仮面（マスク）形状、かぶと形状、盾形状、車両形状、建物形状、物品形状、動物の卵形状、動物形状のうちの少なくともいずれか一つの形状を呈し、第２の形状が動物形状、ロボット形状、恐竜形状、任意のアニメーションキャラクタのうちの少なくともいずれか一つの形状を呈することを特徴とする、請求項６に記載の発射型玩具。
【請求項８】
前記発射部（１３０）は、一側が開口している円弧状の弾性体であることを特徴とする、請求項５に記載の発射型玩具。
【請求項９】
前記加圧部（１４０）は、
レバー貫通孔（１１２）を中心として回動可能に配設されたレバー（１４１）と；
一側が前記レバー（１４１）と連結され、前記レバー（１４１）が動作すると他側の末端が前記発射体（２００、２００ａ、２００ｂ、２００ｃ）を加圧する撃針（１４２）と；
前記撃針（１４２）が所定の位置を維持するように弾性力を提供する撃針バネ（１４３）と；
を備えることを特徴とする、請求項５に記載の発射型玩具。
【請求項１０】
前記ラッチ部（１５０）は、前記発射体（２００、２００ａ、２００ｂ、２００ｃ）との間に形成される磁場による引力により変位することを特徴とする、請求項５に記載の発射型玩具。
【請求項１１】
前記ラッチ部（１５０ａ、１５０ｅ）は、前記発射体（２００、２００ａ、２００ｂ、２００ｃ）との物理的な接触により変位することを特徴とする、請求項５に記載の発射型玩具。
【請求項１２】
前記ラッチ部（１５０、１５０ａ、１５０ｅ）は、前記胴体部（１１０、１１０ａ、１１０ｂ、１１０ｃ、１１０ｄ、１１０ｅ）及びポップアップ部（１６０、１７０）が第１の形状を維持するように拘束し、
前記ラッチ部（１５０、１５０ａ、１５０ｅ）が変位すると、前記胴体部（１１０、１１０ａ、１１０ｂ、１１０ｃ、１１０ｄ、１１０ｅ）及びポップアップ部（１６０、１７０）が展開されるように動作する複数のロック部（１５３、１５４、１５６）を備えることを特徴とする、請求項５に記載の発射型玩具。
【請求項１３】
前記ラッチ部（１５０ａ）は、
挿入された前記発射体（２００、２００ａ、２００ｂ、２００ｃ）が固定されるように拘束する発射体固定部（１５８）と；
前記発射体固定部（１５８）が所定の位置を維持するように弾性力を提供する固定部バネ（１５９）と；
をさらに備えることを特徴とする、請求項１２に記載の発射型玩具。
【請求項１４】
前記発射体（２００、２００ａ、２００ｂ、２００ｃ）は、球形状、円板形状、多面体形状、多角形状、リング形状、円筒形状、円柱形状のうちのいずれか一つの形状を呈することを特徴とする、請求項１に記載の発射型玩具。
【請求項１５】
前記発射体（２００、２００ａ、２００ｂ、２００ｃ）は、金属材質の磁性体、プラスチック樹脂の非磁性体、または金属材質の磁性体が内在されたプラスチック樹脂の非磁性体の何れかからなることを特徴とする、請求項１４に記載の発射型玩具。
【請求項１６】
前記発射体（２００）は、内部に光を発光する発光手段をさらに備えることを特徴とする、請求項１４に記載の発射型玩具。
【請求項１７】
前記発射体（２００）は、内部に動物、物品、文字、数字、図形、アニメーションキャラクタのうちの少なくともいずれか一つの部材をさらに備えることを特徴とする、請求項１４に記載の発射型玩具。
【請求項１８】
前記発射体（２００ａ）は、
中央に補助発射体（２３０）を定着させるために発射体貫通孔（２１１、２１２）を形成した発射体ハウジング（２１０）と；
前記発射体ハウジング（２１０）に配設され、前記発射体貫通孔（２１１、２１２）に定着した補助発射体（２３０）を拘束する発射体弾性部（２２０）と；
前記発射体貫通孔（２１１、２１２）に定着し、前記発射体弾性部（２２０）の拘束力を用いて発射されるようにする補助発射体（２３０）と；
を備えることを特徴とする、請求項１４に記載の発射型玩具。
【請求項１９】
前記発射体（２００ｃ）は、複数の発射体ハウジング（２１０’、２１０”）からなり、発射されて地面と衝突すると展開して前記発射体ハウジング（２１０’、２１０”）の外部形状が第３の形状から第４の形状に変身することを特徴とする、請求項１４に記載の発射型玩具。
【請求項２０】
前記発射体（２００ｃ）は、分離可能に嵌合した発射体第１のハウジング（２１０’）と発射体第２のハウジング（２１０”）とからなることを特徴とする、請求項１９に記載の発射型玩具。
【請求項２１】
前記発射型玩具は、支持部（１２０ｄ）の一側に結合し、外部から前記発射体（２００、２００ａ、２００ｂ）を加圧して発射されるようにする補助加圧部（３００）をさらに備えることを特徴とする、請求項３に記載の発射型玩具。
【発明の詳細な説明】
【技術分野】
【０００１】
本発明は、発射型玩具に係り、更に詳細には、外部から移動してきた発射体が挿入されると第１の形状から第２の形状に展開され、挿入された発射体が装填されて第２の形状から発射されるように動作する発射型玩具に関する。
【背景技術】
【０００２】
一般に、変身玩具は、ロボット形状または自動車形状などを呈する玩具胴体を備え、任意の形状からロボットまたは自動車形状に変身させて遊びを興じる玩具であって、これは、１つの玩具を用いて様々な様子や形状を表現するので、子供が遊びを様々に楽しむことができるという利点がある。
【０００３】
しかしながら、この種の従来の変身玩具は、使用者が手動操作して変身過程を行うが故に、遊び時間が長くなると、変身を通じての遊びの興味が低下してしまうという不都合がある。
【０００４】
一方、遊びの興味を向上させる方法として、シューティングを用いた遊びが挙げられ、主として所定の位置に据え置かれた標的に向かって玉、メダル、円盤などの発射体を発射して標的に命中して転倒させる遊びをする。
【０００５】
韓国公開特許第１０−２０１４−０１２５４６２号公報（発明の名称：弾丸発射玩具）には、玩具本体と、上記玩具本体に配設された発射片と、上記玩具本体上に置かれた弾丸を上記発射片の先端に向かって移動させる押錘部材と、上記玩具本体に変位可能に配設され、使用者によって操作されることにより上記発射片を拘束する拘束部材と、を備え、上記玩具本体に装填された弾丸は、上記発射片に作用する拘束力を用いて玩具本体から飛び出していく構成が開示されている。
【０００６】
しかし、このような弾丸発射型玩具は、使用者が玩具本体に弾丸を事前に装填し、上記装填された弾丸を発射する機能のみを行うので、遊びの興味が簡単に低下してしまうという不都合がある。
【先行技術文献】
【特許文献】
【０００７】
【特許文献１】韓国公開特許第１０−２０１４−０１２５４６２号公報
【発明の概要】
【発明が解決しようとする課題】
【０００８】
このような不都合を解消するために、本発明は、外部から移動してきた発射体が挿入されると第１の形状から第２の形状に展開され、挿入された発射体が装填されて第２の形状から発射されるように動作する発射型玩具を提供することを目的とする。
【課題を解決するための手段】
【０００９】
上記目的を達成するために、本発明は、発射型玩具であって、複数の部材ならなる胴体がラッチ部によってロック設定されて第１の形状を維持し、外部から移動してきた発射体が上記胴体に挿入されて発射部に位置したとき、上記発射体が上記ラッチ部のロックを解除させて上記胴体が第２の形状になるように展開することを特徴とする。
【００１０】
また、本発明に係る発射型玩具は、上記発射体が発射部に位置したとき、加圧部を用いて上記発射体が第２の形状に変身した胴体から発射されるようにすることを特徴とする。
【００１１】
また、本発明に係る上記発射型玩具は、上記胴体に回動可能に配設され、上記ラッチ部のロックが解除されると、展開するポップアップ部をさらに備えることを特徴とする。
【００１２】
また、本発明に係る上記発射型玩具は、胴体に配設され、上記ラッチ部のロックが解除されると、上記胴体が正方向または逆方向に回転するように支持するか、上記胴体が前方、後方、上方または側方に向かってポップアップされるように支持する支持部をさらに備え、上記支持部は、発射型玩具が任意の方向に向かって走行できるように複数の車輪を備えることが好ましい。
【００１３】
また、本発明に係る上記胴体は、内部に収納空間を形成した胴体部と；上記胴体部に配設され、挿入された発射体を定着させて拘束する発射部と；上記発射体を上記発射部の先端に移動させ、上記発射部の弾性力を用いて発射されるように加圧する加圧部と；上記胴体部に配設され、上記発射体によってロック位置またはロック解除位置に変位するラッチ部と；備えることを特徴とする。
【００１４】
また、本発明に係る上記胴体部は、第１の形状が仮面（マスク）形状、かぶと形状、盾形状、車両形状、建物形状、物品形状、動物の卵形状、動物形状のうちの少なくともいずれか一つの形状を呈し、第２の形状が動物形状、ロボット形状、恐竜形状、任意のアニメーションキャラクタのうちの少なくともいずれか一つの形状を呈することを特徴とする。
【００１５】
また、本発明に係る上記胴体部は、少なくとも一つ以上の部材からなり、上記発射体が挿入されると上記発射体の移動経路を案内するガイド部が形成された胴体部ハウジングと；上記胴体部ハウジングに穿設したレバー貫通孔と；上記ポップアップ胴体と支持と加圧部とが上記胴体部ハウジングに回動可能に結合するように支持する複数のヒンジ部と；を備えることを特徴とする。
【００１６】
また、本発明に係る上記発射部は、一側が開口している円弧状の弾性体であることを特徴とする。
【００１７】
また、本発明に係る上記加圧部は、上記レバー貫通孔を中心として回動可能に配設されたレバーと；一側が上記レバーと連結され、上記レバーが動作すると他側の末端が上記発射体を加圧する撃針と；上記撃針が所定の位置を維持するように弾性力を提供する撃針バネと；を備えることを特徴とする。
【００１８】
また、本発明に係る上記ラッチ部は、上記発射体との間に形成される磁場による引力により変位することを特徴とする。
【００１９】
また、本発明に係る上記ラッチ部は、上記発射体との物理的な接触により変位することを特徴とする。
【００２０】
また、本発明に係る上記ラッチ部は、上記胴体部及びポップアップ部が第１の形状を維持するように拘束し、上記ラッチ部が変位すると、上記胴体部及びポップアップ部が展開されるように動作する複数のロック部を備えることを特徴とする。
【００２１】
また、本発明に係る上記ラッチ部は、挿入された発射体が固定されるように拘束する発射固定部と；上記発射体固定部が所定の位置を維持するように弾性力を提供する固定部バネと；をさらに備えることを特徴とする。
【００２２】
また、本発明に係る上記発射体は、球形状、円板形状、多面体形状、多角形状、リング形状、円筒形状、円柱形状のうちのいずれか一つの形状を呈することを特徴とする。
【００２３】
また、本発明に係る上記発射体は、磁性体または非磁性体からなることを特徴とする。
【００２４】
また、本発明に係る上記発射体は、内部に光を発光する発光手段をさらに備えることを特徴とする。
【００２５】
また、本発明に係る上記発射体は、内部に動物、物品、文字、数字、図形、アニメーションキャラクタのうちの少なくともいずれか一つの部材をさらに備えることを特徴とする。
【００２６】
また、本発明に係る上記発射体は、中央に補助発射体を定着させるために発射体貫通孔を形成した発射体ハウジングと；上記発射体ハウジングに配設され、上記発射体貫通孔に定着した補助発射体を拘束する発射体弾性部と；上記発射体貫通孔に定着し、上記発射体弾性部の拘束力を用いて発射されるようにする補助発射体と；を備えることを特徴とする。
【００２７】
また、本発明に係る上記発射体は、複数の発射体ハウジングからなり、発射されて地面と衝突すると展開して外部形状が第１の形状から第２の形状に変身することを特徴とする。
【００２８】
また、本発明に係る上記発射体は、分離可能に嵌合した発射体第１のハウジングと発射体第２のハウジングとからなることを特徴とする。
【００２９】
また、本発明に係る上記発射型玩具は、支持部の一側に結合し、外部から上記発射体を加圧して発射されるようにする補助加圧部をさらに備えることを特徴とする。
【発明の効果】
【００３０】
本発明は、外部から移動してきた発射体が挿入されると第１の形状から第２の形状に展開されて遊びの興味を向上させることができるという利点がある。
【００３１】
また、本発明は、挿入された発射体が発射型玩具に装填され、発射されるように動作してシューティング遊びの楽しさをさらに高めることができるという利点がある。
【図面の簡単な説明】
【００３２】
【図１】本発明の第１の実施形態に係る発射型玩具を示す斜視図である。
【図２】図１に示す発射型玩具の構成を示す分解斜視図である。
【図３】図１に示す発射型玩具の構造を示す側断面図である。
【図４】図１に示す発射型玩具の構造を示す正断面図である。
【図５】図１に示す発射型玩具の発射過程を示す例示図である。
【図６】図１に示す発射型玩具の動作を示す斜視図である。
【図７】図１示す発射型玩具の発射動作を示す斜視図である。
【図８】本発明の第２の実施形態に係る発射型玩具を示す斜視図である。
【図９】図８に示す発射型玩具の構成を示す分解斜視図である。
【図１０】図８に示す発射型玩具の動作過程を示す例示図である。
【図１１】図８に示す発射型玩具の動作過程を示す他の例示図である。
【図１２】図８に示す発射型玩具の発射動作を示す斜視図である。
【図１３】本発明の第３の実施形態に係る発射型玩具を示す斜視図である。
【図１４】図１３に示す発射型玩具の動作過程を示す斜視図である。
【図１５】図１３に示す発射型玩具の発射動作を示す斜視図である。
【図１６】本発明の第４の実施形態に係る発射型玩具を示す斜視図である。
【図１７】図１６示す発射型玩具の動作を示す斜視図である。
【図１８】図１６示す発射型玩具の発射体の構造を示す断面図である。
【図１９】本発明の第５の実施形態に係る発射型玩具を示す斜視図である。
【図２０】図１９に示す発射型玩具の動作を示す斜視図である。
【図２１】図１９に示す発射型玩具の発射体発射部示す斜視図である。
【図２２】図１９に示す発射型玩具の発射動作を示す斜視図である。
【図２３】本発明の第６の実施形態に係る発射型玩具を示す斜視図である。
【図２４】図２３に示す発射型玩具の構成を示す分解斜視図である。
【図２５】図２３に示す発射型玩具の動作過程を示す例示図である。
【図２６】図２３に示す発射型玩具の動作過程を示す他の例示図である。
【図２７】図２３に示す発射型玩具の発射動作を示す斜視図である。
【図２８】本発明に係る発射型玩具の発射体の他の実施形態を示す図である。
【発明を実施するための形態】
【００３３】
以下に添付図面を参照しながら、本発明の好適な実施の形態について詳細に説明する。
【００３４】
（第１の実施形態）
図１は、本発明の第１の実施形態に係る発射型玩具を示す斜視図であり、図２は、図１示す発射型玩具の構成を示す分解斜視図であり、図３は、図１に示す発射型玩具の構造を示す側断面図であり、図４は、図１に示す発射型玩具の構造を示す正断面図であり、図５は、図１示す発射型玩具の発射過程を示す例示図であり、図６は、図１示す発射型玩具の動作を示す斜視図であり、図７は、図１に示す発射型玩具の発射動作を示す斜視図である。
【００３５】
図１〜図７に示すように、第１の実施形態に係る発射型玩具１００は、複数の部材からなる胴体がラッチ部１５０によってロック設定されて外部形状が第１の形状を維持し、外部から移動してきた発射体２００が上記胴体に挿入されて発射部１３０に位置したとき、上記発射体２００がラッチ部１５０のロックを解除させて上記胴体の外部形状が第１の形状から第２の形状に変身するように展開し、上記挿入された発射体２００は胴体に配設された発射部１３０に位置したとき、上記発射体２００が加圧部１４０を用いて第２の形状に変身した胴体から発射されるようになっており、胴体部１１０と、支持部１２０と、発射部１３０と、加圧部１４０と、ラッチ部１５０と、ポップアップ部１６０と、補助ポップアップ部１７０と、発射体２００と、を備えてなる。
【００３６】
すなわち、上記発射型玩具１００は、所定の位置に配置され、外部から移動してきた発射体２００が上記発射型玩具１００に収納されると、上記発射体２００との接触により発射型玩具１００のロック状態が解除されて第１の形状から第２の形状に変身し、上記発射型玩具１００に収納された発射体２００は、第２の形状に変身した発射型玩具１００から発射されるように構成される。
【００３７】
上記胴体部１１０は、内部に発射部１３０と、加圧部１４０と、ラッチ部１５０とを収容するための収納空間を有し、ポップアップ部１６０及び補助ポップアップ部１７０を回動可能に支持する構成要素であって、胴体部ハウジング１１１と、レバー貫通孔１１２と、第１のヒンジ部１１３と、第２のヒンジ部１１４と、支持部結合孔１１５と、第３のヒンジ部１１６と、を備えてなる。
【００３８】
また、上記胴体部１１０は、第１の形状が全体的に仮面（マスク）形状、かぶと形状、盾形状、車両形状、建物形状、物品形状、動物の卵形状、動物形状のうちの少なくともいずれか一つの形状を呈し、第１の形状から展開して第２の形状に変身すると、第２の形状は動物形状、ロボット形状、恐竜形状、任意のアニメーションキャラクタのうちの少なくともいずれか一つの形状を呈する。
【００３９】
上記胴体部ハウジング１１１は、単一の部材または複数の部材が互いに結合してなる。
【００４０】
また、上記胴体部ハウジング１１１は、内部に発射部１３０と、加圧部１４０と、ラッチ部１５０を配設するための中空を有し、上記胴体部ハウジング１１１の底面の一側は、発射体２００が胴体部１１０の内側に挿入できるように開口しており、上記開口された一側には、挿入された発射体２００が上記胴体部ハウジング１１１の内側へ移動できるように移動経路を案内する案内ガイド部１１１ａが形成される。
【００４１】
また、上記胴体部ハウジング１１１は、加圧部１４０の一部が上部胴体部ハウジング１１１の外部に所定の長さだけ突出するように胴体部ハウジング１１１の一側に長方形状に穿設したレバー貫通孔１１２と、第３のロック部１５６の一部が貫通する第３のロック部貫通孔１１４ｂと、第１のロック部１５３の一部が貫通する第１のロック部貫通孔１１５ａと、第２のロック部１５４の一部が貫通する第２のロック部貫通孔１１６ａと、を備えてなる。
【００４２】
上記第１のヒンジ部１１３は、貫通孔１１３ａを有し、レバー貫通孔１１２の両側に設けられ、胴体部ハウジング１１１の外部に突出した加圧部１４０の一部が回動できるように支持する。
【００４３】
上記第２のヒンジ部１１４は、貫通孔を有し、胴体部ハウジング１１１の両側面に設けられ、補助ポップアップ部１７０が上記第２のヒンジ部１１４の軸方向に回動できるように支持する。
【００４４】
上記支持部結合孔１１５は、支持部１２０の回転軸１２２を配設するために胴体部ハウジング１１１の両側面に穿設される。
【００４５】
上記第３のヒンジ部１１６は、胴体部ハウジング１１１の一側に配設され、ポップアップ部１６０が上記第３のヒンジ部１１６の軸方向に回動できるように支持する。
【００４６】
上記支持部１２０は、胴体部１１０の両側に底面が床面に密着するように配設され、発射体２００によってラッチ部１５０のロックが解除されると、発射型玩具１００の外形が第１の形状から第２の形状に変形するように上記胴体部１１０が回転変位するように支持する構成要素であって、支持体１２１と、回転軸１２２と、支持部バネ１２３と、を備えてなる。
【００４７】
上記支持部胴体１２１は、床面と密着して胴体部１１０が据え置かれるように支持するものであり、回転軸１２２が配設される貫通孔１２１ａと、第１のロック部１５３と噛合する第１のロック部固定溝１２１ｂと、を備えてなる。
【００４８】
上記回転軸１２２は、支持部結合孔１１５を介して胴体部１１０と結合し、上記胴体部１１０が上記支持部胴体１２１の軸方向に回転するように支持する。
【００４９】
上記支持部バネ１２３は、胴体部１１０と支持部１２０との間にロックが解除されて第１のロック部１５３が第１のロック部固定溝１２１ｂから分離されると、上記胴体部１１０が回転軸１２２を中心として回転するように弾性力を提供する。
【００５０】
また、上記支持部１２０は、使用者が発射型玩具１００を任意の方向に向かって押さえると走行可能なように支持部１２０の下部に複数の車輪（図示せず）を備えてもよい。
【００５１】
上記発射部１３０は、胴体部１１０に配設され、一側が開口している断面「∩」形状を有する円弧状の弾性体からなり、このため、挿入された発射体２００を発射部１３０の内側に定着させるための発射部胴体１３１を備え、上記定着した発射体２００を弾性力を用いて開口された一側に向かって発射できるようにする。
【００５２】
上記加圧部１４０は、胴体部１１０に配設され、発射体２００を発射部１３０の開口先端部に向けて移動させ、上記発射体２００が発射部１３０の弾性力により発射されるように加圧する構成要素であって、レバー１４１と、撃針１４２と、撃針バネ１２３と、を備えてなる。
【００５３】
上記レバー１４１は、使用者が発射体２００を発射するために加圧する構成要素であって、一側に形成された回転軸１４１ａを介して第１のヒンジ部１１３と回動可能に結合される。また、上記レバー１４１は、一側がレバー貫通孔１１２を介して胴体部１１０の外側に突出し、他側にはカム部１４１ｂが形成されて、上記レバー１４１が回転軸１４１ａを中心として回転する間に撃針１４２が水平方向に移動できるように加圧する。
【００５４】
上記撃針１４２は、一側がレバー１４１のカム部１４１ｂと連結され、上記レバー１４１が動作したとき水平方向に移動して他側の末端に形成された発射体接触部１４２ｂが発射体２００を加圧するように構成されている。
【００５５】
また、上記撃針１４２は、撃針バネ１４３を配設するために撃針胴体の長手方向の一側が開口している撃針挿入溝１４２ａを有し、上記撃針１４２が移動する過程で発射部１３０と衝突することを防止する。
【００５６】
上記撃針バネ１２３は、一側が発射部胴体１３１の発射部突起１３１ａと連結され、他側が撃針挿入溝１４２ａに配置されて、撃針１４２が所定の位置を維持するように弾性力を提供する。
【００５７】
上記ラッチ部１５０は、胴体部１１０に配設され、発射体２００によってロック位置またはロック解除位置に変位する構成要素であって、ラッチ部胴体１５１と、ラッチ駆動部１５２と、第１のロック部１５３と、第２のロック部１５４と、リンク部１５５と、第３のロック部１５６と、ラッチ部バネ１５７と、を備えてなる。
【００５８】
上記ラッチ部胴体１５１は、胴体部１１０の下部に配設され、発射体２００によって水平方向に移動して第１〜第３のロック部１５３、１５４、１５６がロック状態からロック解除状態になるように動作させる構成要素であって、第１の接触部１５１ａと、第２の接触部１５１ｂと、第３の接触部１５１ｃと、を備えてなる。
【００５９】
上記第１の接触部１５１ａは、ラッチ部胴体１５１の両側面から所定の長さだけ突設され、第１のロック部１５３がロック位置またはロック解除位置に変位できるように動作させる構成要素である。
【００６０】
すなわち、上記第１の接触部１５１ａは、第１のロック部１５３の末端と接触するように配設され、ラッチ部胴体１５１が水平方向に移動すると、上記第１のロック部１５３の一側の末端と噛合して上記第１のロック部１５３の他側の末端が第１のロック部の回転軸１５３ａを中心として回転するようになる。
【００６１】
上記第２の接触部１５１ｂは、ラッチ部胴体１５１の一側に配設され、第２のロック部１５４がロック位置またはロック解除位置に変位できるように動作させる構成要素であって、所定の角度の傾斜面を有する。
【００６２】
すなわち、上記第２の接触部１５１ｂの傾斜面は、第２のロック部１５４の末端と接触するように配設され、ラッチ部胴体１５１が水平方向に移動すると、上記第２のロック部１５４の末端が上記第２の部１５１ｂの傾斜面に沿って変位すると共に、上記第２のロック部１５４が垂直方向に動作できるようにする。
【００６３】
上記第３の接触部１５１ｃは、ラッチ部胴体１５１を貫通して配設されてリンク部１５５と噛合し、上記ラッチ部胴体１５１が水平方向に移動すると、上記リンク部１５５を動作させて第３のロック部１５６が水平方向に沿って移動できるようにする。
【００６４】
上記ラッチ駆動部１５２は、ラッチ部胴体１５１の他側に配設され、発射体２００との間に形成される磁場による引力を形成して、上記ラッチ部胴体１５１が水平方向に変位するように駆動力を提供する構成要素であって、好ましくは、磁石からなる。
【００６５】
上記第１のロック部１５３は、一側が第１の接触部１５１ａと接触し、他側が第１のロック部貫通孔１１５ａを介して支持部１２０の第１のロック部固定溝１２１ｂに噛合するように配設される。上記第１のロック部１５３は、ラッチ部胴体１５１の変位に応じて第１のロック部の回転軸１５３ａを中心として回転する。
【００６６】
上記第２のロック部１５４は、一側が第２の接触部１５１ｂの傾斜面と接触し、他側が第２のロック部貫通孔１１６ａを介してポップアップ部１６０の第２のロック部固定溝１６２ａに噛合するように配設され、ラッチ部胴体１５１の変位に応じて、第２のロック部１５４が第２のロック部の回転軸１５４ａを中心として回転して係止突起１５４ｂがポップアップ部１６０から分離されるようにする。
【００６７】
また、上記第２のロック部１５４は、ラッチ部１５０が水平方向に変位してロック解除の位置に移動すると、第２のロック部１５４の係止突起１５４ｂが下方向に向かって移動するように弾性力を提供する第２のロック部バネ１５４ｃを備えてなる。
【００６８】
上記リンク部１５５は、両側に回転軸１５５ａを形成してラッチ部胴体１５１の変位に応じてリンク部１５５が回転できるようにする。上記リンク部１５５の一側に沿って所定の長さだけ延びた第１の突出部１５５ｂは、ラッチ部胴体１５１の第３の接触部１５１ｃと結合し、上記リンク部１５５の他側に沿って所定の長さだけ延びた第２の突出部１５５ｃは、第３のロック部１５６と噛合する。
【００６９】
上記第３のロック部１５６は、両側端部に係止突起１５６ａを有し、上記係止突起１５６ａは、第３のロック部貫通孔１１４ｂを通過して補助ポップアップ部１７０の第３のロック部固定溝１７１ａと噛合する。
【００７０】
また、上記第３のロック部１５６は、リンク部１５５に配設された第２の突出部１５５ｃと連結されて、上記リンク部１５５の動作に応じて補助ポップアップ部１７０と固定または分離される。
【００７１】
上記ラッチ部バネ１５７は、ラッチ部胴体１５１の一側に配設されて、上記ラッチ部胴体１５１が所定の位置を維持するように弾性力を提供する。
【００７２】
すなわち、上記ラッチ部バネ１５７は、ラッチ部胴体１５１がラッチ駆動部１５２と発射体２００との間に形成される引力により変位が発生して移動した後、上記発射体２００が発射されると、ラッチ部胴体１５１が元の位置に戻るようにする。
【００７３】
上記ポップアップ部１６０は、第３のヒンジ部１１６を介して胴体部１１０に回動可能に結合し、ラッチ部１５０のロックが解除されれば、上記胴体部１１０から展開されて発射型玩具１００の外形が第１の形状から第２の形状に変身するように動作する構成要素であって、上記ポップアップ部１６０は、胴体部１１０から分離されて展開する過程でさらに躍動感のある展開動作が行われるように、ポップアップ部第１の胴体１６１と、ポップアップ部第２の胴体１６２と、ポップアップ部バネ１６３と、を備えてなり、本実施形態では、頭の形状を呈する。
【００７４】
上記ポップアップ部第１の胴体１６１は、一側に回転軸１６１ａが形成されて第３のヒンジ部１１６と結合し、他側にはポップアップ部第２の胴体１６２が配設される。
【００７５】
上記ポップアップ部第２の胴体１６２は、一側がポップアップ部第１の胴体１６１と結合し、他側が第２のロック部固定溝１６２ａを介して第２のロック部１５４と結合して胴体部１１０に固定された状態が維持されるようにする。
【００７６】
本実施形態においては、上記ポップアップ部１６０をポップアップ部第１の胴体１６１とポップアップ部第２の胴体１６２とに分離した構成を実施形態として説明したが、本発明はこれに限定されるものではなく、単一の胴体で構成してもよく、または３つ以上の胴体で構成してもよい。
【００７７】
上記ポップアップ部バネ１６３は、ポップアップ部第１の胴体１６１の回転軸１６１ａに配設されて、ポップアップ部第２の胴体１６２が第２のロック部１５４から分離されると、上記ポップアップ部第１の胴体１６１が第３のヒンジ部１１６を中心として回転するように弾性力を提供する。
【００７８】
上記補助ポップアップ部１７０は、第２のヒンジ部１１４を介して胴体部１１０に回動可能に結合し、ラッチ部１５０のロックが解除されれば、上記胴体部１１０から展開されて発射型玩具１００の外形が第１の形状から第２の形状に変身するように動作する構成要素であって、補助ポップアップ部胴体１７１と、補助ポップアップ部ヒンジ１７２と、回転軸１７３と、補助ポップアップ部バネ１７４と、を備えてなる。
【００７９】
上記補助ポップアップ部胴体１７１は、翼形状を呈する部材であって、第３のロック部１５６と噛合する第３のロック部固定溝１７１ａが形成され、一側末端には補助ポップアップ部ヒンジ１７２が配設される。
【００８０】
上記補助ポップアップ部ヒンジ１７２は、回転軸１７３を介して第２のヒンジ部１１４と結合して、補助ポップアップ部胴体１７１が上記第２のヒンジ部１１４の軸方向を中心として回転するようになる。
【００８１】
上記補助ポップアップ部バネ１７４は、回転軸１７３に配設されて補助ポップアップ部胴体１７１が第３のロック部１５６から分離されると、上記補助ポップアップ部胴体１７１が第２のヒンジ部１１４を中心として回転するように弾性力を提供する。
【００８２】
上記発射体２００は、使用者による手動操作で移動するか、または任意の発射装置から発射されて移動し、球形状、円板形状、多面体形状、多角形状などの様々な形状を呈することができ、磁石からなるラッチ部１５０のラッチ駆動部１５２との間で磁場を形成できるように鉄などの磁性体からなるか、磁性体を内在して構成してもよい。
【００８３】
すなわち、上記発射体２００は、プラスチック樹脂のような非磁性体外形を構成した場合、上記発射体２００の内部で磁場を形成し得る金属材質の部材を配設して構成してもよい。
【００８４】
また、上記発射体２００は、非磁性体により構成されれば、発射体２００の内部に光を発光する発光手段（図示せず）をさらに構成して視覚的な効果をさらに高めることができる。
【００８５】
また、上記発射体２００は、非磁性体により構成されれば、発射体２００の内部に動物、物品、文字、数字、図形、アニメーションキャラクタのうちの少なくともいずれか一つの部材をさらに備えて構成することにより、様々なゲームツールとして活用することができる。
【００８６】
以下、本発明に係る発射型玩具１００の動作過程を説明する。
【００８７】
胴体部１１０にポップアップ部１６０と補助ポップアップ部１７０とを密着固定し、上記胴体部１１０を支持部１２０の回転軸１２２を中心として回転させて固定することにより、発射型玩具１００の外形が第１の形状を維持するように構成する。
【００８８】
第１の形状である発射型玩具１００を任意の位置に配置し、使用者が発射体２００を上記発射型玩具１００に向かって移動させる。
【００８９】
上記発射体２００が胴体部１１０の開口された一側に挿入されてガイド部１１１ａに沿って移動し、上記胴体部１１０の内部に配設された発射部１３０に位置すると、ラッチ部１５０のラッチ駆動部１５２と発射体２００との間に形成される磁場による引力が発生して、上記ラッチ部１５０は発射体２００の方向に向かって移動する。
【００９０】
上記ラッチ部１５０が磁場による引力により図３の左方向に移動すると、ラッチ部１５０の第１〜第３の接触部１５１ａ、１５１ｂ、１５１ｃも共に左方向に移動して、第１のロック部１５３と、第２のロック部１５４と、リンク部１５５を介して連動している第３のロック部１５６とが、ロック位置からロック解除位置に変位する。
【００９１】
上記第１の〜第３のロック部１５３、１５４、１５６の位置が変位すると、第１〜第３のロック部１５３、１５４、１５６と噛合して固定された状態の胴体部１１０とポップアップ部１６０と補助ポップアップ部１７０とは、回転及び展開して発射型玩具１００の外形が第１の形状から第２の形状に変身するように動作する。
【００９２】
すなわち、第１のロック部１５３のロックが解除されれば、胴体部１１０は、図５に示すように、支持部バネ１２３の弾性力によって支持部１２０の回転軸１２２を中心として回転し、第２のロック部１５４のロックが解除されれば、ポップアップ部１６０は、ポップアップ部バネ１６３の弾性力により第３のヒンジ部１１６を中心として回転しながら展開され、第３のロック部１５６のロックが解除されれば、補助ポップアップ部１７０は、補助ポップアップ部バネ１７４の弾性力により第２のヒンジ部１１４を中心として回転しながら展開される。
【００９３】
一方、上記発射体２００によって発射型玩具１００が第２の形状に変身すると、上記挿入された発射体２００は、ラッチ駆動部１５２との間に形成される磁力により発射部１３０に定着した状態で拘束され、また、図４に示すように、発射部１３０は、発射体２００の周囲を２／３程度包んだ位置で水平方向に拘束する。
【００９４】
使用者が加圧部１４０のレバー１４１を押すと、第１のヒンジ部１１３を中心として上記レバー１４１が回動し、上記レバー１４１の一側に形成されたカム部１４１ｂは、撃針１４２を水平方向に移動させるために加圧する。
【００９５】
上記撃針１４２が水平方向に移動して発射体２００を加圧すると、上記発射体２００を拘束している発射部１３０の両側末端開口が拡開し、上記発射部１３０の弾性力によって発射体２００が発射される。
【００９６】
したがって、外部から移動してきた発射体が玩具に挿入されると、発射型玩具が第１の形状から第２の形状に展開され、挿入された発射体が発射型玩具に装填された後、発射型玩具から発射されることにより、シューティング遊びの楽しさをさらに高めることができる。
【００９７】
（第２の実施形態）
図８は、本発明の第２の実施形態に係る発射型玩具を示す斜視図であり、図９は、図８に示す発射型玩具の構成を示す分解斜視図であり、図１０は、図８に示す発射型玩具の動作過程を示す例示図であり、図１１は、図８に示す発射型玩具の動作過程を示す他の例示図であり、図１２は、図８に示す発射型玩具の発射動作を示す斜視図である。
【００９８】
まず、第１の実施形態と同一の構成要素には同一の符号を付してその説明を省略する。
【００９９】
図８〜図１２に示すように、第２の実施形態に係る発射型玩具１００ａは、胴体がラッチ部１５０ａによってロック設定されて外部形状が第１の形状を維持し、外部から移動してきた発射体２００が上記胴体に挿入されて上記ラッチ部１５０ａのロックが解除されるとしたとき、上記胴体が展開して外部形状が第１の形状から第２の形状に変身し、上記挿入された発射体２００は胴体に配設された発射部１３０に拘束され、加圧部１４０が上記発射体２００を加圧すると、上記発射部１３０に作用する拘束力を用いて発射されるようになっており、胴体部１１０ａと、支持部１２０と、発射部１３０と、加圧部１４０と、ラッチ部１５０ａと、ポップアップ部１６０と、補助ポップアップ部１７０と、発射体２００と、を備えてなる。
【０１００】
第２の実施形態に係る発射型玩具１００ａは、発射体２００との物理的な接触によりラッチ部１５０ａが動作する構成において、第１の実施形態に係る発射体２００との間に形成される磁場による引力によりラッチ部１５０が動作する発射型玩具１００との相違点がある。
【０１０１】
すなわち、第２の実施形態に係る発射型玩具１００ａは、発射体２００が非磁性体により構成されるか、または上記発射体２００が磁性体により構成されても、物理的な接触によりラッチ部１５０ａが動作できるように構成される。
【０１０２】
上記胴体部１１０ａは、内部に発射部１３０と、加圧部１４０と、ラッチ部１５０ａとを収容するための収納空間を有し、ポップアップ部１６０及び補助ポップアップ部１７０を回動可能に支持する。
【０１０３】
また、上記胴体部１１０ａは、単一の部材または複数の部材が互いに結合してなり、外形が全体的に仮面（マスク）形状、かぶと形状、盾形状、車両形状、建物形状、物品形状、動物の卵形状のうちの少なくともいずれか一つの形状を呈する胴体部ハウジング１１１と、レバー貫通孔１１２と、第１のヒンジ部１１３と、第２のヒンジ部１１４と、支持部結合孔１１５と、第３のヒンジ部１１６と、を備えてなる。
【０１０４】
上記胴体部ハウジング１１１は、内部に発射部１３０と、加圧部１４０と、ラッチ部１５０ａとを配設するための中空を有し、上記胴体部ハウジング１１１の底面の一側は、発射体２００が胴体部１１０ａの内側に挿入できるように開口しており、上記開口された一側には、挿入される発射体２００が上記胴体部ハウジング１１１の内側に移動できるように移動経路を案内するガイド部１１１ａが形成され、上記ガイド部１１１ａには、発射体固定部１５８が配設される固定部配設溝１１１ｂが形成される。
【０１０５】
上記ラッチ部１５０ａは、胴体部１１０ａに配設され、発射体２００によってロック位置またはロック解除位置に変位する構成要素であって、ラッチ部胴体１５１’と、ラッチ駆動部１５２ａと、第１のロック部１５３と、第２のロック部１５４と、リンク部１５５と、第３のロック部１５６と、ラッチ部バネ１５７と、発射体固定部１５８と、固定部バネ１５９と、を備えてなる。
【０１０６】
上記ラッチ部胴体１５１’は、胴体部１１０ａの下部に配設され、発射体２００によって水平方向に移動して第１〜第３のロック部１５３、１５４、１５６がロック状態からロック解除状態になるように動作させ、発射体固定部１５８がロック解除状態からロック状態になるように動作させる構成要素であって、第１の接触部１５１ａと、第２の接触部１５１ｂと、第３の接触部１５１ｃと、第４の接触部１５１ｄと、を備えてなる。
【０１０７】
上記第４の接触部１５１ｄは、ラッチ部胴体１５１’に配設され、発射固定部１５８がロック位置またはロック解除位置に変位するように動作させる構成要素であって、末端には所定の角度を有する傾斜面が形成される。
【０１０８】
すなわち、上記第４の接触部１５１ｄの傾斜面は、発射体固定部１５８の末端と接触するように配設され、ラッチ部胴体１５１’が水平方向に移動すると、上記発射体固定部１５８の末端が上記第４の接触部１５１ｄの傾斜面に沿って変位すると共に、上記発射体固定部１５８が回転軸１５８ａを中心として回転できるようにする。
【０１０９】
上記ラッチ駆動部１５２ａは、ラッチ部胴体１５１’に配設され、発射体２００との物理的な接触により上記ラッチ部胴体１５１’が水平方向に変位するようになる構成要素であって、上記発射体２００との衝突によりラッチ部胴体１５１’が所定の距離だけ移動できるように突出した突起からなる。
【０１１０】
上記発射体固定部１５８は、一側が第４の接触部１５１ｄの傾斜面と接触し、他側が固定部配設溝１１１ｂを介して露出されて発射体２００と密着するように配設され、ラッチ部胴体１５１’の変位に応じて発射体固定部１５８が回転軸１５８ａを中心として回転し、上記発射体２００と密着または分離されるようにする。
【０１１１】
上記固定部バネ１５９は、発射体固定部１５８の回転軸１５８ａに配設され、上記発射体固定部１５８が所定の位置を維持するように弾性力を提供する。
【０１１２】
以下、第２の実施形態に係る発射型玩具の動作過程を説明する。
【０１１３】
胴体部１１０ａにポップアップ部１６０と補助ポップアップ部１７０とを密着固定し、上記胴体部１１０ａを支持部１２０の回転軸１２２を中心として回転させて固定することにより、発射型玩具１００ａの外形が第１の形状を維持するように構成する。
【０１１４】
第１の形状である発射型玩具１００ａを任意の位置に配置し、使用者が発射体２００を発射して上記発射体２００を上記発射型玩具１００ａに向かって移動させる。
【０１１５】
上記発射体２００が胴体部１１０ａの開口された一側に挿入されてガイド部１１１ａに沿って移動し、上記胴体部１１０ａの内部に配設された発射部１３０に位置すると、ラッチ部１５０ａのラッチ駆動部１５２ａは、発射体２００との物理的な接触及び衝突により上記発射体２００の移動方向に向かって移動する。
【０１１６】
上記ラッチ部１５０ａが移動すると、ラッチ部１５０ａの第１〜第４の接触部１５１ａ、１５１ｂ、１５１ｃ、１５１ｄも共に移動して、第１のロック部１５３と、第２のロック部１５４と、リンク部１５５を介して連動している第３のロック部１５６とが、ロック位置からロック解除位置に変位し、発射体固定部１５８は、発射体２００と密着して発射部１３０に固定される。
【０１１７】
上記第１の〜第３のロック部１５３、１５４、１５６の位置が変位すると、第１〜第３のロック部１５３、１５４、１５６と噛合して固定された状態の胴体部１１０ａとポップアップ部１６０と補助ポップアップ部１７０とは、支持部１２０を中心として回転するか、上記胴体部１１０ａを中心として展開して発射型玩具１００ａの外形が第１の形状から第２の形状に変身するようになる。
【０１１８】
一方、上記発射体２００によって発射型玩具１００ａが第２の形状に変身すると、上記挿入された発射体２００は、発射体固定部１５８によって発射部１３０に定着して状態で拘束される。
【０１１９】
その後、使用者が加圧部１４０のレバー１４１を押すと、第１のヒンジ部１１３を中心として上記レバー１４１が回動し、上記レバー１４１の一側に形成されたカム部１４１ｂは、撃針１４２を水平方向に移動させるために加圧することにより、発射体２００が発射部１３０の弾性力によって発射されるようにする。
【０１２０】
したがって、外部から移動してきた非磁性体の発射体が玩具に挿入されると、発射型玩具が第１の形状から第２の形状に展開され、挿入された発射体が発射体固定部によって発射型玩具に固定され、その後、発射型玩具から発射されるように動作することができる。
【０１２１】
（第３の実施形態）
図１３は、本発明の第３の実施形態に係る発射型玩具を示す斜視図であり、図１４は、図１３に示す発射型玩具の動作過程を示す斜視図であり、図１５は、図１３に示す発射型玩具の発射動作を示す斜視図である。
【０１２２】
図１３〜図１５に示すように、第３の実施形態に係る発射型玩具１００ｂは、発射体２００の接触及び衝突により外形が第１の形状から第２の形状に変身する過程で複数の材が回動可能に結合した胴体部１１０ｂが変身する構成であって、胴体部１１０ｂが変身する構成において、第１及び第２の実施形態に係る発射型玩具１００、１００ａとの相違点がある。
【０１２３】
すなわち、第３の実施形態に係る発射型玩具１００ｂでは、第１及び第２の実施形態のポップアップ部１６０及び補助ポップアップ部１７０の構成を胴体部１１０ｂ自体に構成することにより、ラッチ部のロックが解除されれば、胴体部１１０ｂ自体が前方、後方、左方及び右方に展開して変身されるようにする。
【０１２４】
また、加圧部１４０ｂは、胴体部１１０ｂの一側に発射型玩具１００ｂの形状に応じて回動可能に配設される。
【０１２５】
したがって、外部から移動してきた発射体が玩具に挿入されると、発射型玩具が第１の形状から第２の形状に展開され、挿入された発射体が発射体固定部によって発射型玩具に固定され、その後、発射型玩具から発射されるように動作することができる。
【０１２６】
（第４の実施形態）
図１６は、本発明の第４の実施形態に係る発射型玩具を示す斜視図であり、図１７は、図１６に示す発射型玩具の動作を示す斜視図であり、図１８は、図１６に示す発射型玩具の発射体の構造を示す断面図である。
【０１２７】
図１６〜図１８に示すように、第４の実施形態に係る発射型玩具１００ｃは、胴体部１１０ｃ及び発射体２００ａの構成において、第１〜第３の実施形態の発射型玩具１００、１００ａ、１００ｂとの相違点がある。
【０１２８】
すなわち、第３の実施形態に係る発射型玩具１００ｃの胴体部１１０ｃは、円板形状の発射体２００ａを挿入可能にする、第１〜第３の実施形態の発射型玩具１００、１００ａ、１００ｂよりも相対的に大きいガイド部１１１ａと、上記ガイド部１１１ａに挿入された発射体２００ａを固定可能にする発射体固定部１５８と、を備えてなる。
【０１２９】
上記発射体２００ａは、円板形状の部材であって、発射体ハウジング２１０と、発射体弾性部２２０と、補助発射体２３０と、を備えてなる。
【０１３０】
上記発射体ハウジング２１０は、中央に補助発射体２３０が定着するための発射体第１の貫通孔２１１と発射体第２の貫通孔２１２とを有する。
【０１３１】
上記発射体第１の貫通孔２１１は、内在される補助発射体２３０の直径よりも小さい直径を有するように形成され、上記発射体第２の貫通孔２１２は、補助発射体２３０の直径よりも大きい直径を有するように形成される。
【０１３２】
上記発射体弾性部２２０は、発射体ハウジング２１０の発射体第２の貫通孔２１２に配設されて、発射体第１及び第２の貫通孔２１１、２１２に定着した補助発射体２３０を拘束する。
【０１３３】
上記補助発射体２３０は、発射体第１及び第２の貫通孔２１１、２１２に定着し、加圧部が上記補助発射体２３０を発射体第１の貫通孔２１１方向から発射体第２の貫通孔２１２方向に向かって加圧すると、上記発射体弾性部２２０の拘束力を用いて発射される構成要素であって、球状の玉からなる。
【０１３４】
したがって、外部から移動してきた発射体２００ａが発射型玩具１００ｃの胴体部１１０ｃに挿入されると、胴体部１１０ｃが第１の形状から第２の形状に展開され、挿入された発射体２００ａが発射体固定部１５８によって胴体部１１０ｃに固定され、その後、補助発射体２３０が発射される。
【０１３５】
（第５の実施形態）
図１９は、本発明の第５の実施形態に係る発射型玩具を示す斜視図であり、図２０は、図１９に示す発射型玩具の動作を示す斜視図であり、図２１は、図１９に示す発射型玩具の発射体発射部示す斜視図であり、図２２は、図１９に示す発射型玩具の発射動作を示す斜視図である。
【０１３６】
図１９〜図２２に示すように、第５の実施形態に係る発射型玩具１００ｄは、胴体部１１０ｄが前方、後方、上方または側方に向かってポップアップされ、発射体２００ａが挿入されると、上記胴体部１１０ｄをポップアップ可能にするラッチ部を有する支持部１２０ｄと、上記支持部１２０ｄに挿入された発射体２００ａを発射する補助加圧部３００と、を備えてなる。
【０１３７】
すなわち、第５の実施形態に係る発射型玩具１００ｄは、一側が開口している支持部１２０ｄに円板形状の発射体２００ａが挿入されるとロック解除されて胴体部１１０ｄがポップアップされ、上記支持部１２０ｄに挿入された発射体２００ａは、上記支持部１２０ｄの他側に結合した補助加圧部３００を介して発射されるように構成される。
【０１３８】
上記胴体部１１０ｄが展開される構成に当たり、第１の及び第２の実施形態のポップアップ部及び補助ポップアップ部の構成を胴体部１１０ｄに構成することにより、ラッチ部のロックが解除されれば、上記胴体部１１０ｄ自体が前方、後方、左方、右方及び上方に向かって展開して変身する。
【０１３９】
上記支持部１２０ｄは、一側に発射体２００ａが挿入される開口の発射体挿入部１２４が形成され、内部にはラッチ部が配設されて、上記発射体２００ａとの接触または衝突による変位に応じてロック解除されて胴体部１１０ｄが第１の形状から第２の形状に展開されるようにする。
【０１４０】
また、上記支持部１２０ｄは、他側には、補助加圧部３００と結合して発射体２００ａを発射可能にする補助発射部締結溝１２５と支持貫通孔１２６とが形成される。
【０１４１】
上記補助加圧部３００は、支持部１２０ｄの一側に結合し、外部から上記支持部１２０ｄに挿入された発射体２００ａを加圧して発射させる構成要素であって、補助加圧部胴体３１０と、上記補助加圧部胴体３１０に配設されて使用者からの加圧力を検出する補助加圧部レバー３２０と、上記補助加圧部レバー３２０の動作に応じて動作して発射体２００ａを加圧または打撃する補助加圧部撃針３３０と、を備えてなる。
【０１４２】
すなわち、上記補助加圧部３００は、支持部１２０ｄの一側に形成された補助発射部締結溝１２５と補助加圧部結合溝３１１とが噛合することで上記支持部１２０ｄに固定され、使用者が補助加圧部レバー３２０を押すと、補助加圧部撃針３３０が支持貫通孔１２６を貫通して発射体２００ａを加圧または打撃して上記発射体２００ａを発射させる。
【０１４３】
本実施形態では円板形状の発射体を実施形態として説明したが、本発明はこれに限定されるものではなく、球形状、多角形状、多面体形状、リング形状などの発射体に変更して実施することもできる。
【０１４４】
したがって、外部から移動してきた発射体２００ａが発射型玩具１００ｄの支持部１２０ｄに挿入されると、胴体部１１０ｄが第１の形状から第２の形状にポップアップ展開され、挿入された発射体２００ａは、支持部１２０ｄの一側に結合した補助加圧部３００を介して発射される。
【０１４５】
（第６の実施形態）
図２３は、本発明の第６の実施形態に係る発射型玩具を示す斜視図であり、図２４は、図２３に示す発射型玩具の構成を示す分解斜視図であり、図２５は、図２３に示す発射型玩具の動作過程を示す例示図であり、図２６は、図２３に示す発射型玩具の動作過程を示す他の例示図であり、図２７は、図２３に示す発射型玩具の発射動作を示す斜視図である。
【０１４６】
まず、第２の実施形態と同一の構成要素には同一の符号を付してその説明を省略する。
【０１４７】
図２３〜図２７に示すように、第６の実施形態に係る発射型玩具１００ｅは、胴体がラッチ部１５０ｅによってロック設定されて外部形状が第１の形状を維持し、外部から移動してきた発射体２００ｂが上記胴体に挿入されて上記ラッチ部１５０ｅのロックが解除されると、上記胴体が展開して外部形状が第１の形状から第２の形状に変身し、上記挿入された発射体２００ｂは胴体に配設された発射部１３０ｅに拘束され、加圧部１４０が上記発射体２００ｂを加圧すると、上記発射部１３０ｅに作用する拘束力を用いて発射されるようになっており、胴体部１１０ｅと、支持部１２０と、発射部１３０ｅと、加圧部１４０と、ラッチ部１５０ｅと、ポップアップ部１６０と、補助ポップアップ部１７０と、発射体２００ｂと、を備えてなる。
【０１４８】
第６の実施形態に係る発射型玩具１００ｅは、発射部１３０ｅと、ラッチ部１５０ｅと、発射体２００ｂとの構成において、第２の実施形態に係る発射型玩具との相違点がある。
【０１４９】
上記発射部１３０ｅは、胴体部１１０ｅに配設され、一側が開口している円弧状または半円状の弾性体からなり、発射体２００ｂを胴体部１１０ｅの内側に固定可能にし、上記固定された発射体２００ｂが発射部１３０ｅの弾性力によって胴体部１１０ｅの開口部に向かって発射できるようにする構成要素であって、発射部胴体１３１ｅと、発射部リンク１３２ｅと、発射部突起１３３ｅと、を備えてなる。
【０１５０】
上記発射部胴体１３１ｅは、弾性力を有する円弧状の部材であって、一側には発射部リンク１３２ｅが形成され、他側には発射部突起１３３ｅが形成され、上記発射部リンク１３２ｅ側には発射部回転軸１３１ｅ’が配設されて発射部胴体１３１ｅが上記発射部回転軸１３１ｅ’を中心として回動できるようになる。
【０１５１】
また、上記発射部胴体１３１ｅは、発射体２００ｂと接触して上記発射体２００ｂが胴体部内側面１１０ｅ’に密着するように加圧することにより、上記発射体２００ｂを固定することができる。
【０１５２】
上記発射部リンク１３２ｅは、ラッチ部１５０ｅの第５の接触部１５１ｅと噛合するように配設されて、上記ラッチ部１５０ｅの水平変位に応じて発射部１３０ｅの末端が発射部回転軸１３１ｅ’を中心として回動するようになる。
【０１５３】
上記発射部突起１３３ｅは、発射部胴体１３１ｅの内部面に密着した発射体２００ｂと接触して上記発射体２００ｂをさらに強固に固定する役割を果たし、上記発射体２００ｂが発射される過程において発射体胴体１３１ｅの変位量を増加させて発射体２００ｂに対する発射弾性力をさらに高めることができる。
【０１５４】
上記ラッチ部１５０ｅは、胴体部１１０ｅに配設され、発射体２００ｂによってロック位置またはロック解除位置に変位する構成要素であって、ラッチ部胴体１５１”と、ラッチ駆動部１５２ａと、第１のロック部１５３と、第２のロック部１５４と、リンク部１５５と、第３のロック部１５６と、ラッチ部バネ１５７と、を備えてなる。
【０１５５】
上記ラッチ部胴体１５１”は、胴体部１１０ｅの下部に配設され、発射体２００ｂと衝突すると水平方向に移動して第１〜第３のロック部１５３、１５４、１５６がロック状態からロック解除状態になるように動作させ、発射部１３０ｅが発射体２００ｂと密着するように動作させる構成要素であって、第１の接触部１５１ａと、第２の接触部１５１ｂと、第３の接触部１５１ｃと、第５の接触部１５１ｅと、を備えてなる。
【０１５６】
上記第５の接触部１５１ｅは、ラッチ部胴体１５１”に配設されて発射部１３０ｅが回動するように動作させる構成要素であって、上記ラッチ部胴体１５１”の長手方向に沿って形成された長方形の貫通孔または発射部リンク１３２ｅが挿入される長方形の挿入溝からなる。
【０１５７】
すなわち、上記第５の接触部１５１ｅは、発射部リンク１３２ｅを挿入するようになっており、ラッチ部胴体１５１”が水平方向に移動すると、上記発射部リンク１３２ｅが移動して発射部１３０ｅが発射部回転軸１３１ｅ’を中心として回動するようになる。
【０１５８】
上記発射体２００ｂは、使用者により転がされるか、または任意の発射装置（図示せず）から発射されて発射型玩具１００ｅに向かって転がっていくリング状の部材であって、金属材質またはプラスチック樹脂材などからなってもよい。
【０１５９】
一方、本実施形態では上記発射体２００ｂの形状をリング状に限って説明したが、本発明はこれに限定されるものではなく、円板（または円盤）形状、円筒形状、円柱形状などの転がり易い形状を有する発射体に変更実施することができることは、当業者にとって自明であるといえる。
【０１６０】
以下、第６の実施形態に係る発射型玩具の動作過程を説明する。
【０１６１】
胴体部１１０ｅにポップアップ部１６０と補助ポップアップ部１７０とを密着固定し、上記胴体部１１０ｅを支持部１２０の回転軸１２２を中心として回転させて固定することにより、発射型玩具１００ｅの外形が第１の形状を維持するように構成する。
【０１６２】
第１の形状である発射型玩具１００ｅを任意の位置に配置し、使用者が発射体２００ｂを発射して上記発射体２００ｂを上記発射型玩具１００ｅに向かって移動させる。
【０１６３】
上記発射体２００ｂが胴体部１１０ｅの開口された一側に挿入されてガイド部に沿って移動し、上記胴体部１１０ｅの内部に配設されたラッチ部１５０ｅのラッチ駆動部１５２ａは、発射体２００ｂとの物理的な接触及び衝突により上記発射体２００ｂの移動方向に向かって移動して変位する。
【０１６４】
上記ラッチ部１５０ｅが移動すると、ラッチ部１５０ｅの第１〜第３の接触部１５１ａ、１５１ｂ、１５１ｃも共に移動して、第１のロック部１５３と、第２のロック部１５４と、リンク部１５５を介して連動している第３のロック部１５６とが、ロック位置からロック解除位置に変位し、発射部１３０ｅは回動して発射体２００ｂの外面と密着して、発射体２００ｂが発射部１３０ｅに固定されるようにする。
【０１６５】
上記第１の〜第３のロック部１５３、１５４、１５６の位置が変位すると、第１〜第３のロック部１５３、１５４、１５６と噛合して固定された状態の胴体部１１０ｅとポップアップ部１６０と補助ポップアップ部１７０とは、支持部１２０を中心として回転するか、上記胴体部１１０ｅを中心として展開して発射型玩具１００ｅの外形が第１の形状から第２の形状に変身する。
【０１６６】
一方、上記発射体２００ｂによって発射型玩具１００ｅが第２の形状に変身すると、上記挿入された発射体２００ｂは、発射部１３０ｅによって胴体部ハウジング及び発射部１３０ｅに定着した状態で拘束される。
【０１６７】
その後、使用者が加圧部１４０のレバー１４１を押すと、第１のヒンジ部１１３を中心として上記レバー１４１が回動し、上記レバー１４１の一側に形成されたカム部１４１ｂは、撃針１４２を水平方向に移動させるために加圧することにより、発射体２００ｂが発射部１３０ｅの弾性力によって発射されるようにする。
【０１６８】
また、図２８は、発射体２００ｃの他の実施形態を示す図であって、上記発射体２００ｃは、発射体第１のハウジング２１０’と発射体第２のハウジング２１０”とからなり、発射されて地面と衝突すると展開して外部形状が第１の形状から第２の形状に変身するように構成される。
【０１６９】
すなわち、上記発射体２００ｃは、分離可能に嵌合した発射体第１のハウジング２１０’と発射体第２のハウジング２１０”とを備えてなる。
【０１７０】
上記発射体第１のハウジング２１０’と発射体第２のハウジング２１０”とは、それぞれ半球状を呈するもので、互いに嵌合して球状を維持する構成要素であって、発射部によって発射されると、地面との衝突により発生した衝突力によって上記嵌合が分離されて第２の形状に変身する。
【０１７１】
また、上記発射体第１のハウジング２１０’の内部には、衝突発生時に変位して弾性力によって発射体第２のハウジング２１０”を打撃または加圧する発射体撃針２４０が配設されて、上記発射体第１のハウジング２１０’と発射体第２のハウジング２１０”とをより簡単に分離することができる。
【０１７２】
さらに、上記発射体第２のハウジング２１０”は、発射体ベース２５０を中心として回動可能に配設された複数のフラップ２１１”を有する。上記発射体ベース２５０が発射体撃針２４０によって打撃されると、上記発射体第２のハウジング２１０”は上記発射体第１のハウジング２１０’から分離されて上記フラップ２１１”が展開されるようになり、その結果、上記発射体２００ｃの外部形状が第１の形状から第２の形状に変身する。
【０１７３】
本実施形態では、上記発射体２００ｃが完全に分離される２つの部材により構成されると説明したが、本発明はこれに限定されるものではなく、上記発射体２００ｃが完全に分離されることなく、嵌合された状態で一部が回転または分離されて展開される構成に変更することもできる。
【０１７４】
したがって、外部から移動してきた非磁性体の発射体が発射型玩具に挿入されると、発射型玩具が第１の形状から第２の形状に展開され、挿入された発射体は発射体固定部によって発射型玩具に固定され、その後、発射型玩具から発射されるようになる。
【０１７５】
以上、本発明の好適な実施形態を挙げて本発明について説明したが、当該技術分野における熟練された当業者であれば、下記の特許請求の範囲に記載の本発明の思想及び領域から逸脱しない範囲内において本発明を種々に修正及び変更することができるということが理解できる筈である。
【０１７６】
また、本発明の実施形態について説明する過程において、図示の線の太さや構成要素の大きさなどは説明の明瞭性及び便宜性のために誇張されて示されていてもよく、上述した用語は、本発明における機能を考慮して定義された用語であって、これらは、使用者や運用者の意図または慣例によって異なるため、これらの用語に関する解釈は、本明細書の全般に亘っての内容に基づいて行われるべきである。
【符号の説明】
【０１７７】
１００、１００ａ、１００ｂ、１００ｃ、１００ｄ、１００ｅ  発射型玩具
１１０、１１０ａ、１１０ｂ、１１０ｃ、１１０ｄ、１１０ｅ  胴体部
１１１  胴体部ハウジング
１１２  レバー貫通孔
１１３  第１のヒンジ部
１１４  第２のヒンジ部
１１４ｂ  第３のロック部貫通孔
１１５  支持部結合孔
１１５ａ  第１のロック部貫通孔
１１６  第３のヒンジ部
１２０、１２０ｄ  支持部
１２１  支持部胴体
１２１ｂ  第１のロック部固定溝
１２２  回転軸
１２３  支持部バネ
１２４  発射体挿入口
１２５  補助発射部締結溝
１２６  支持部貫通孔
１３０、１３０ｅ  発射部
１３１、１３１ｅ  発射部胴体
１３１ａ、１３３ｅ  発射部突起
１３２ｅ  発射部リンク
１４０、１４０ｂ  加圧部
１４１  レバー
１４１ｂ  カム部
１４２  撃針
１４２ａ  撃針挿入溝
１４３  撃針バネ
１５０、１５０ａ  ラッチ部
１５１、１５１’、１５１”  ラッチ部胴体
１５１ａ  第１の接触部
１５１ｂ  第２の接触部
１５１ｃ  第３の接触部
１５１ｄ  第４の接触部
１５１ｅ  第５の接触部
１５２  ラッチ駆動部
１５３  第１のロック部
１５４  第２のロック部
１５５  リンク部
１５６  第３のロック部
１５７  ラッチ部バネ
１５８  発射体固定部
１５９  固定部バネ
１６０  ポップアップ部
１６１  ポップアップ部第１の胴体
１６２  ポップアップ部第２の胴体
１６２ａ  第２のロック部固定溝
１７０  補助ポップアップ部
１７１  補助ポップアップ部胴体
１７１ａ  第３のロック部固定溝
１７２  補助ポップアップ部ヒンジ
１７３  回転軸
１７４  補助ポップアップ部バネ
２００、２００ａ、２００ｂ、２００ｃ  発射体
２１０  発射体ハウジング
２１０’  発射体第１のハウジング  
２１０”  発射体第２のハウジング
２１１  発射体第１の貫通孔
２１１”  フラップ
２１２  発射体第２の貫通孔
２２０  発射体弾性部
２３０  補助発射体
２４０  発射体撃針
２５０  発射体ベース
３００  補助加圧部
３１０  補助加圧部胴体
３１１  補助加圧部結合溝
３２０  補助加圧部レバー
３３０  補助加圧部撃針
【図１】
0006688900.tif 000002
【図２】
0006688900.tif 000003
【図３】
0006688900.tif 000004
【図４】
0006688900.tif 000005
【図５】
0006688900.tif 000006
【図６】
0006688900.tif 000007
【図７】
0006688900.tif 000008
【図８】
0006688900.tif 000009
【図９】
0006688900.tif 000010
【図１０】
0006688900.tif 000011
【図１１】
0006688900.tif 000012
【図１２】
0006688900.tif 000013
【図１３】
0006688900.tif 000014
【図１４】
0006688900.tif 000015
【図１５】
0006688900.tif 000016
【図１６】
0006688900.tif 000017
【図１７】
0006688900.tif 000018
【図１８】
0006688900.tif 000019
【図１９】
0006688900.tif 000020
【図２０】
0006688900.tif 000021
【図２１】
0006688900.tif 000022
【図２２】
0006688900.tif 000023
【図２３】
0006688900.tif 000024
【図２４】
0006688900.tif 000025
【図２５】
0006688900.tif 000026
【図２６】
0006688900.tif 000027
【図２７】
0006688900.tif 000028
【図２８（ａ）】
0006688900.tif 000029
【図２８（ｂ）】
0006688900.tif 000030
【図２８（ｃ）】
0006688900.tif 000031